(57)【要約】  【課題】  錠剤の正確な計数が可能なビン取付け型錠剤取出し蓋を提供する。  【解決手段】  ビンの錠剤取出し蓋に、隔壁(21)及び第一底板(7)を有し且つ第二底板(17)を有する外側スリーブ(3)中で回転可能な内側スリーブ(4)を設ける。第一及び第二底板上に第一及び第二窓(15、16)を形成する。両スリーブ内を横断して移動可能な板部(9)に第三窓(19)を形成し、隔壁(21)に第四窓(20)を形成する。板部(9)は、第一及び第二窓(15、16)が心合わせされるが第三及び第四窓(19、20)が心合わせされない初期位置に保持する。外側スリーブ(3)を回転可能として第一及び第二窓の心合わせを外し、板部(9)を横断移動させて第三及び第四窓(19、20)を心合わせしてビン内の錠剤を内側スリーブ(4)に進入させる。次いで板部(9)を初期位置へ戻すと共に外側スリーブ(3)を初期位置へ戻し、錠剤を内側スリーブ(4)からその時心合わせされた第一及び第二窓(15、16)経由で取出す。  【選択図】        図３
2007501174.tif 000002
【特許請求の範囲】
【請求項１】
ビン用の錠剤取出し蓋であって、中間隔壁（21）と第一底板（７）とを有する内側スリーブ（４）、第一底板の直下に位置する第二底板（17）を有する外側スリーブ（３）、第一及び第二底板上にそれぞれ形成された第一及び第二窓開口（15、16）、両スリーブ内を横断して移動可能であり且つ第三窓開口（19）を有する板部（９）、中間隔壁（21）に形成された第四窓開口（20）、並びに第一及び第二窓開口（15、16）は心合わせされるが第三及び第四窓開口（19、20）は心合わせされない初期位置に板部（９）を保持する解除可能な施錠機構（14、10）を備え、外側スリーブ（３）を第一及び第二窓開口の心合わせが外れ且つ板部（９）が初期位置の施錠から解除される向きに回転可能とし、その解除により板部（９）を第三及び第四窓開口（19、20）が心合わせされる向きに横断移動可能としてビン内の錠剤を内側スリーブ（４）に進入させ、次いで板部（９）を初期位置へ戻すと共に外側スリーブ（３）を初期位置へ戻すことにより錠剤を内側スリーブ（４）からその時心合わせされた第一及び第二窓開口（15、16）経由で取出してなる錠剤取出し蓋。
【請求項２】
請求項１の蓋において、前記施錠機構を、板部が貫通する外側スリーブの長溝（10）の端部が進入可能な板部の切欠き（14）としてなる錠剤取出し蓋。
【請求項３】
請求項１又は２の蓋において、前記内側及び外側スリーブを、外側スリーブの回転が許されるスナップ嵌合装置（５、６）により相互結合してなる錠剤取出し蓋。
【請求項４】
請求項１から３の何れか一つの蓋において、前記板部に初期位置へ向うバネ荷重（13）を加え、板部の一部分を両スリーブの外へ突出させてなる錠剤取出し蓋。
【請求項５】
請求項４の蓋において、前記板部に、両スリーブ外への板部の突出長さを制限するための位置決め突起（12）を設けてなる錠剤取出し蓋。
【請求項６】
請求項１から５の何れか一つの蓋において、前記両スリーブの間に表示環（８）を配置し且つその環を外側スリーブの回転に応じて内側スリーブの表面上に設けた一連の一時的位置決め成形部（25）中の隔たった成形部間において移動可能としてなる錠剤取出し蓋。
【請求項７】
請求項６の蓋において、前記外側スリーブ（３）上に表示環の外周面上の一連のラチェット溝又は歯（23）の一つと協働するラチェット脚（22）を設け、そのラチェット脚により外側スリーブの一方向の回転のみに応じて表示環（８）を外側スリーブと共に回転させてなる錠剤取出し蓋。
【請求項８】
請求項７の蓋において、前記表示環に、蓋より取出した錠剤の数を指示窓経由で示すような記号を設けてなる錠剤取出し蓋。
【請求項９】
図面を参照して実質上本文に記載したビン用の錠剤取出し蓋。
【請求項１０】
本文及び／又は添付図に記載した錠剤取出し蓋の諸特徴の新規な組合せ。
【発明の詳細な説明】
【発明の開示】
【発明が解決しようとする課題】
【０００１】
使用者が投与すべき錠剤の量を必要な時に正確に数えることができるビン用の錠剤取出し装置が必要とされている。この種の装置は既に多数存在しているが、本発明は構造が複雑でなくしかも操作が比較的容易な取出し装置の提供を目的とする。
【課題を解決するための手段】
【０００２】
本発明によれば、中間隔壁と第一底板とを有する内側スリーブ、第一底板の直下に位置する第二底板を有する外側スリーブ、第一及び第二底板上にそれぞれ形成された第一及び第二窓開口、両スリーブ内を横断して移動可能であり且つ第三窓開口を有する板部、中間隔壁に形成された第四窓開口、並びに第一及び第二窓開口は心合わせされるが第三及び第四窓開口は心合わせされない初期位置に板部を保持する解除可能な施錠機構を備え、外側スリーブを第一及び第二窓開口の心合わせが外れ且つ板部が初期位置の施錠から解除される向きに回転可能とし、その解除により板部を第三及び第四窓開口が心合わせされる向きに横断移動可能としてビン内の錠剤を内側スリーブに進入させ、次いで板部を初期位置へ戻すと共に外側スリーブを初期位置へ戻すことにより錠剤を内側スリーブからその時心合わせされた第一及び第二窓開口経由で取出してなるビン用の錠剤取出し蓋が提供される。
【０００３】
この構成形式の錠剤取出し蓋では、二つのスリーブを横切って板部を滑り込ませた時に、錠剤群をビンから内側スリーブへ送り出し、更にその時心合わせされた第三、第四窓開口を介して取出すことができる。使用者は、板部を初期状態へ復帰させて第三、第四窓開口の心合せを閉鎖する前に正しい数の錠剤が取出し蓋の中にあることを確認できる。その後、外側スリーブを初期状態まで回転させ、第一、第二窓開口を介して錠剤を使用者へ投与することができる。
【０００４】
板部を初期状態に保持する施錠機構は、板部が貫通する外側スリーブの長溝の端部が進入可能な板部の切欠きとすることができる。
【０００５】
理想的には、板部の一部分を両スリーブの外へ突出させた初期位置へ向けるようなバネ荷重を板部に加えることにより絶対安全（フェイルセイフ）な状態にする。
【０００６】
好ましくは、板部材が両スリーブから外向きに突出する長さを制限するための突起を板部材に設ける。
【０００７】
内側及び外側のスリーブを、外側スリーブの回転が許されるスナップ嵌合装置により簡単に相互結合してもよい。
【０００８】
更に理想的な蓋は、既に取出した錠剤の数を使用者が監視できるようにするため、錠剤の取出し数の総計を表示するか、又は処方量の錠剤が前回取出された日付を表示する。即ち、蓋に両スリーブの間に配置した表示環を含め且つその環を外側スリーブの回転に応じて内側スリーブの表面上の一連の一時的位置決め成形部中の隔たった成形部間において移動可能とすることができる。好ましい実施例においては、外側スリーブ上に表示環の外周面上の一連のラチェット溝又は歯の一つと協働するラチェット脚を設け、そのラチェット脚により外側スリーブの一方向の回転のみに応じて表示環を外側スリーブと共に回転させる。表示環に、蓋より取出した錠剤の数を指示窓経由で示すような記号を設けることができる。
【発明を実施するための最良の形態】
【０００９】
本発明は種々の態様で実施できるが、その一実施例を添付図により説明する。図示例の標準的な錠剤ビン１は、ビンの口にねじ込める錠剤取出し蓋２を有する。必要に応じ、蓋がビンから偶然に外れるのを防止するため、標準的無干渉型の施錠機構をその間に設けることができる。図３から容易に理解できるように、この蓋は透明なプラスチック製の外側スリーブ３及び内側スリーブ４を有する。外側リーブ３の中への内側スリーブ４の取付けは、分割蛇口状部５を内側スリーブ４の底板７のかぎ孔６へ心合わせして挿入する構成のスナップ嵌合位置決め装置によって行なわれる。内外のスリーブの間に表示環８が落し込まれる。両スリーブ３、４にそれぞれ設けた長溝10、11に板部９が滑動自在に保持される。スナップ式位置決め突起12が両スリーブ３、４の内側から外側への板部９の通り抜け移動を制限し、偏倚バネ13が板部９を外向きにその限界まで押圧する。
【００１０】
図１の正常状態において、板部９は外側引き出し位置にあり、外側スリーブ３が反時計式方向に回転し、長溝10の一端が板部９の切欠き14内に位置している。この状態において、内側スリーブ４の底板７の第一窓開口15が外側リーブ３の底板17の第二窓開口16と心合わせされる。次いで、外側スリーブ３を時計式向きに回転させると、第一及び第二窓開口15、16は相互に心合わせされた位置から外れ、切欠き14と長溝10との相互接触が解除される。この時、板部９を指板18の押圧により内側へ押込むことができ、板部９の第三窓開口19を内側スリーブ４の内部隔壁21の第四窓開口20と心合わせさせることができる。こうした状態で、ビン１内の錠剤を、心合わせさせた窓開口19及び20を介して内側スリーブ４の下方部分へ振り出すことができる。使用者が、所要数の錠剤が正しく内側スリーブ４の下方部分に存在することを一旦確認すると、板部９を解放してバネ13の偏倚力（及び／又は指板18の引張り）により外向きに移動させ、窓開口19及び20の心合わせを外す。その後、外側スリーブ３を反時計式向きに初期位置へ回転させると、窓開口15及び16が心合わせされる。これにより、所要量の錠剤群が内側スリーブ４の底部から使用者に放出される。
【００１１】
外側スリーブ３を最初に時計式方向に回す時には、ラチェット脚（歯止め脚）22が指示環８のラチェット溝又は歯（歯止め溝又は歯）23を乗り越えて移動できる。しかし、外側スリーブ３を反時計式方向に逆回転する時には、ラチェット脚（歯止め脚）22が一つの溝又は歯23と係合し、内側スリーブ４の外周面上の位置決め溝25と指示環８の位置決めリブ24との係合に抗して指示環８の割出し回転を行なう。その運動が終わると位置決めリブ24が位置決め溝25と再び係合するが、指示環８は次の後続位置にある。指示環８は、１から７までの数字を１、５、２、６、３、７、４の順序で示し、その数字で薬の分量又は週日の番号（曜日表示の文字も同様に使用できる）を表す。指示環８の割出し回転を適当に行い、ラベル27上の指示窓26を介して次回に位置合わせする後続の数字を２スペース先のものとすることができる。
【図面の簡単な説明】
【００１２】
【図１】本発明による錠剤取出し蓋の斜視図である。
【図２】図１の蓋操作における初期段階の一状態を示す同図と同様な図である。
【図３】図１及び図２の錠剤取出し蓋の諸部品を示す分解斜視図である。
【符号の説明】
【００１３】
１…錠剤ビン            ２…錠剤取出し蓋        ３…外側スリーブ
４…内側スリーブ        ５…分割蛇口状部        ６…かぎ孔
７…（第一）底板        ８…表示環              ９…板部
10…長溝                11…長溝                12…位置決め突起
13…バネ                14…切り欠              15…第一窓開口
16…第二窓開口          17…（第二）底板        18…指板
19…第三窓開口          20…第四窓開口          21…中間隔壁
22…ラチェット脚        23…ラチェット溝        24…位置決めリブ
25…位置決め溝          27…ラベル
【図１】
2007501174.tif 000003
【図２】
2007501174.tif 000004
【図３】
2007501174.tif 000005
【国際調査報告】
2007501174.tif 000006
2007501174.tif 000007
2007501174.tif 000008